(57)【要約】【課題】発信者が外線電話機等によって用件メッセージを受信者側に対して簡易且つ確実に知らせることができる電話機を提供する。【解決手段】ユーザーが操作部４を操作するのにしたがって、電話機Ａに設けられている記憶部６ｂが、少なくとも外線電話機等の発呼電話番号を記憶登録する。外線電話機等から電話がかかってくると、電話機Ａに設けられている主制御部３が、かかってきた外線電話機等の発呼電話番号と一致する発呼電話番号のデータが記憶部６ｂに記録されているか否か調べ、一致する発呼電話番号のデータが存在すると、外線電話機等から送信されてくる用件メッセージのデータに基づいて表示部５に用件メッセージを表示させる。【選択図】図１
2009164782.tif 000002
【特許請求の範囲】
【請求項１】
外線電話機等からの電話に応じて用件メッセージを表示する電話機であって、
ユーザー操作にしたがって、少なくとも前記外線電話機の発呼電話番号のデータを記憶登録する記憶手段と、
外線電話機等から電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記外線電話機等から送信されてくる用件メッセージのデータに基づいて表示手段に用件メッセージを表示させる主制御手段と、
を有することを特徴とする電話機。
【請求項２】
外線電話機等からの電話に応じて用件メッセージを表示する電話機であって、
ユーザー操作にしたがって、少なくとも前記外線電話機の発呼電話番号のデータを電話帳データとして記憶する記憶手段と、
外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記外線電話機等から送信されてくる用件メッセージのデータに基づいて表示手段に用件メッセージを表示させる主制御手段と、
を有することを特徴とする電話機。
【請求項３】
前記主制御手段は、前記表示手段に前記用件メッセージを表示させる際、前記用件メッセージと共に、前記外線電話機等による発呼時刻を表示させること、
を特徴とする請求項１または２に記載の電話機。
【請求項４】
前記主制御手段は、ユーザー操作にしたがって、前記外線電話機等によって電話をかける時間帯のデータを記憶登録し、
前記主制御手段は、外線電話機等から電話がかかってくると、かかってきた前記外線電話機等の発呼電話番号と一致する発呼電話番号のデータが存在するか否か調べと共に、前記記憶手段に記憶されている時間帯のデータで示される時間帯に電話がかかってきたか否か調べ、一致する発呼電話番号のデータが存在し、時間帯のデータで示される時間帯に電話がかかってくると、前記外線電話機等から送信されてくる用件メッセージのデータに基づいて表示手段に用件メッセージを表示させること、
を特徴とする請求項１または２に記載の電話機。
【請求項５】
親機と子機とを有し、外線電話機等からの電話に応じて前記親機または子機に用件メッセージを表示する電話機であって、
ユーザーの前記親機の操作にしたがって、少なくとも前記外線電話機の発呼電話番号のデータを記憶する、前記親機に設けられている記憶手段と、
外線電話機等から前記親機に電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記外線電話機等から送信されてくる用件メッセージのデータに基づいて、前記親機または子機の表示手段に用件メッセージを表示させる、前記親機に設けられている主制御手段と、
を有することを特徴とする電話機。
【請求項６】
親機と子機とを有し、外線電話機等からの電話に応じて前記親機または子機に用件メッセージを表示する電話機であって、
ユーザー操作にしたがって電話帳データを記憶する、前記親機に設けられている記憶手段と、
外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記外線電話機等から送信されてくる用件メッセージのデータに基づいて表示手段に用件メッセージを表示させる主制御手段と、
を有することを特徴とする電話機。
【請求項７】
前記主制御手段は、前記表示手段に前記用件メッセージを表示させる際、前記用件メッセージと共に、前記外線電話機等による発呼時刻を表示させること、
を特徴とする請求項５または６に記載の電話機。
【請求項８】
前記記憶手段は、ユーザー操作にしたがって、前記外線電話機等によって電話をかける時間帯のデータを記憶登録し、
前記主制御手段は、外線電話機等から電話がかかってくると、かかってきた前記外線電話機等の発呼電話番号と一致する発呼電話番号のデータが存在するか否か調べと共に、前記記憶手段に記憶されている時間帯のデータで示される時間帯に電話がかかってきたか否か調べ、一致する発呼電話番号のデータが存在し、時間帯のデータで示される時間帯に電話がかかってくると、前記外線電話機等から送信されてくる用件メッセージのデータに基づいて表示手段に用件メッセージを表示させること、
を特徴とする請求項５または６に記載の電話機。
【請求項９】
親機と子機とを有し、外線電話機等からの電話に応じて前記親機または子機に用件メッセージを表示する電話機であって、
ユーザーの前記子機の操作にしたがって、前記外線電話機の発呼電話番号と前記親機または子機の装置番号のデータを記憶登録する、前記親機と子機に設けられた記憶手段と、
外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記親機の記憶手段に存在すると、前記親機の装置番号のデータで示される親機に設けられている表示手段に、前記外線電話機等から送信されてくる用件メッセージのデータに基づいて表示手段に用件メッセージを表示させる、前記親機に設けられている主制御手段と、
外線電話機等から前記親機に電話がかかってくると、かかってきた前記外線電話機等の発呼電話番号と一致する発呼電話番号のデータが前記子機の記憶手段に記録されているか否か調べ、一致する発呼電話番号のデータが前記子機の記憶手段に存在すると、前記子機の装置番号のデータで示される子機に設けられている表示手段に、前記外線電話機等から送信されてくる用件メッセージのデータに基づいて表示手段に用件メッセージを表示させる、前記子機に設けられている主制御手段と、
を有することを特徴とする電話機。
【請求項１０】
親機と子機とを有し、外線電話機等からの電話に応じて前記親機または子機に用件メッセージを表示する電話機であって、
ユーザーの前記子機の操作にしたがって、前記外線電話機の発呼電話番号と前記親機または子機の装置番号のデータを記憶登録する記憶領域と、電話帳データを記憶する記憶領域とを有する、前記親機と子機に設けられた記憶手段と、
外線電話機等から前記親機に電話がかかってくると、かかってきた前記外線電話機等の発呼電話番号と一致する発呼電話番号のデータが前記電話帳データに存在しているか否か調べ、一致する発呼電話番号のデータが前記電話帳データに存在していると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、
前記一致する発呼電話番号のデータが前記電話帳データに存在していると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、
を有することを特徴とする電話機。
【請求項１１】
前記親機と子機の主制御手段は、前記表示手段に前記用件メッセージを表示させる際、前記用件メッセージと共に、前記外線電話機等による発呼時刻を表示させること、
を特徴とする請求項９または１０に記載の電話機。
【請求項１２】
前記親機と子機の記憶手段は、ユーザー操作にしたがって時間帯のデータを記憶登録し、
前記親機と子機の主制御手段は、外線電話機等から電話がかかってくると、かかってきた前記外線電話機等の発呼電話番号と一致する発呼電話番号のデータが存在するか否か調べると共に、前記記憶手段に記憶されている時間帯のデータで示される時間帯に電話がかかってきたか否か調べ、一致する発呼電話番号のデータが存在し、時間帯のデータで示される時間帯に電話がかかってくると、前記外線電話機等から送信されてくる用件メッセージのデータに基づいて表示手段に用件メッセージを表示させること、
を特徴とする請求項９または１０に記載の電話機。
【発明の詳細な説明】
【技術分野】
【０００１】
本発明は、発信者側の外線電話機等により指定された用件メッセージを表示等する、いわゆる留守番機能を備えた電話機に関する。
【背景技術】
【０００２】
従来より、留守番機能を備えた電話機が普及している。例えば特許文献１に記載されている電話機では、外部の発信者から外線電話機等により電話がかかってくると、その発信者の音声による用件メッセージを発呼者電話番号（外線電話機等の電話番号）と対応付けて半導体メモリやカセットテープ等のストレージ媒体にディジタル録音やアナログ録音しておき、事後的にその用件メッセージを音声再生して受聴できるようにしている。
【０００３】
【特許文献１】特開平１１−２８９３７９号公報
【発明の開示】
【発明が解決しようとする課題】
【０００４】
上述したように、従来の留守番機能を備えた電話機では一般に、発信者からの用件メッセージを音声録音するようになっている。
【０００５】
ところが、留守番機能を備えた電話機が例えば宅内の固定電話機等であり、発信者が外出先等から用件メッセージをその固定電話機等に録音させる場合、発声することができない場所（例えば、映画館や乗車中の電車内等の公共の場所）では、用件メッセージを知らせることができない等の問題があった。また、発信者にとって、発声により用件メッセージを知らせること自体が面倒でわずらわしくなる場合があった。
【０００６】
本発明は、こうした従来技術の課題に鑑みてなされたものであり、発信者が外線電話機等によって用件メッセージを受信者側に対して簡易且つ確実に知らせることができる、留守番機能を有する電話機を提供することを目的とする。
【課題を解決するための手段】
【０００７】
請求項１に記載の発明は、外線電話機等からの電話に応じて用件メッセージを表示する電話機であって、ユーザー操作にしたがって、少なくとも前記外線電話機の発呼電話番号のデータを記憶登録する記憶手段と、外線電話機等から電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記外線電話機等から送信されてくる用件メッセージのデータに基づいて表示手段に用件メッセージを表示させる主制御手段と、を有することを特徴とする。
【０００８】
請求項２に記載の発明は、外線電話機等からの電話に応じて用件メッセージを表示する電話機であって、ユーザー操作にしたがって、少なくとも前記外線電話機の発呼電話番号のデータを電話帳データとして記憶する記憶手段と、外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記外線電話機等から送信されてくる用件メッセージのデータに基づいて表示手段に用件メッセージを表示させる主制御手段と、を有することを特徴とする。
【０００９】
請求項５に記載の発明は、親機と子機とを有し、外線電話機等からの電話に応じて前記親機または子機に用件メッセージを表示する電話機であって、ユーザーの前記親機の操作にしたがって、少なくとも前記外線電話機の発呼電話番号のデータを記憶する、前記親機に設けられている記憶手段と、外線電話機等から前記親機に電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記外線電話機等から送信されてくる用件メッセージのデータに基づいて、前記親機または子機の表示手段に用件メッセージを表示させる、前記親機に設けられている主制御手段と、を有することを特徴とする。
【００１０】
請求項６に記載の発明は、親機と子機とを有し、外線電話機等からの電話に応じて前記親機または子機に用件メッセージを表示する電話機であって、ユーザー操作にしたがって電話帳データを記憶する、前記親機に設けられている記憶手段と、外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記外線電話機等から送信されてくる用件メッセージのデータに基づいて表示手段に用件メッセージを表示させる主制御手段と、を有することを特徴とする。
【００１１】
請求項９に記載の発明は、親機と子機とを有し、外線電話機等からの電話に応じて前記親機または子機に用件メッセージを表示する電話機であって、ユーザーの前記子機の操作にしたがって、前記外線電話機の発呼電話番号と前記親機または子機の装置番号のデータを記憶登録する、前記親機と子機に設けられた記憶手段と、外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記親機の記憶手段に存在すると、前記親機の装置番号のデータで示される親機に設けられている表示手段に、前記外線電話機等から送信されてくる用件メッセージのデータに基づいて表示手段に用件メッセージを表示させる、前記親機に設けられている主制御手段と、外線電話機等から前記親機に電話がかかってくると、かかってきた前記外線電話機等の発呼電話番号と一致する発呼電話番号のデータが前記子機の記憶手段に記録されているか否か調べ、一致する発呼電話番号のデータが前記子機の記憶手段に存在すると、前記子機の装置番号のデータで示される子機に設けられている表示手段に、前記外線電話機等から送信されてくる用件メッセージのデータに基づいて表示手段に用件メッセージを表示させる、前記子機に設けられている主制御手段と、を有することを特徴とする。
【００１２】
請求項１０に記載の発明は、親機と子機とを有し、外線電話機等からの電話に応じて前記親機または子機に用件メッセージを表示する電話機であって、ユーザーの前記子機の操作にしたがって、前記外線電話機の発呼電話番号と前記親機または子機の装置番号のデータを記憶登録する記憶領域と、電話帳データを記憶する記憶領域とを有する、前記親機と子機に設けられた記憶手段と、外線電話機等から前記親機に電話がかかってくると、かかってきた前記外線電話機等の発呼電話番号と一致する発呼電話番号のデータが前記電話帳データに存在しているか否か調べ、一致する発呼電話番号のデータが前記電話帳データに存在していると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、前記一致する発呼電話番号のデータが前記電話帳データに存在していると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、を有することを特徴とする。
【発明を実施するための最良の形態】
【００１３】
（実施の形態１） 
本発明の好適な実施の形態１について図面を参照して説明する。図１（ａ）は、本実施形態１の電話機の構成を示すブロック図である。図１（ｂ）は、操作部と表示部との外観を部分的に表した平面図である。
【００１４】
図１（ａ）において、この電話機Ａは、外部回線送受信部１と、外部回線制御部２、主制御部３、操作部４、表示部５、信号変換部６ａ、記憶部６ｂ、ＦＡＸ部６ｃ、録音部６ｄとを備えて構成されている。
【００１５】
外部回線送受信部１は、有線と無線とを問わず、更にアナログ通信とディジタル通信とを問わず、通信方式の異なる複数の通信網（固定電話回線、無線電話回線、ＩＰ電話網など）を利用して通信を行うことが可能な送受信回路が備えられている。ユーザーが通信会社との契約に基づいて、複数のライン接続端子Ｌ1〜Ｌｍのうちの所定のライン接続端子を外部回線にライン接続しておくと、外部回線送受信部１は契約に応じた回線を通じて通信を行い、外部回線側から到来する受信信号を主制御部３へ出力すると共に、主制御部３からの送信信号を外部回線側へ送出する。なお、図１（ａ）では、ユーザーが契約した固定電話回線ＬＩＮに固定電話ライン接続端子Ｌｍが接続された場合を例示している。
【００１６】
外部回線制御部２は、外部回線送受信部１に対して回線接続と回線遮断の制御を行う。
【００１７】
操作部４は、図１（ｂ）に示すように、ユーザーが通話を行う際に使用される受話器４ａと、ユーザーが相手先の電話番号を入力したり電話機Ａに備えられている機能を選択操作するための複数のプッシュ釦スイッチ（すなわち、数字キー、文字キー、記号キー、ファンクションキー等のプッシュ釦スイッチ）４ｂと、ユーザーが記憶部６ｂの所定の記憶領域ＭＤに記憶されている電話番号帳データを検索する際や、電話番号帳データを新規に作成する際に、操作されるスイッチ４ｃ等を備えて構成されている。
【００１８】
主制御部３は、所定のシステムプログラムを実行するマイクロプロセッサ（ＭＰＵ）やデジタルシグナルプロセッサ（ＤＳＰ）を備えて構成されており、電話機Ａの動作を集中制御する。なお、主制御部３の制御機能については、後述の動作説明において詳細に説明することとする。
【００１９】
表示部５は、主制御部３による制御の下で動作する液晶ディスプレイ等で形成されており、次に例示列挙する表示を行う。例えば、ユーザーが操作部４を操作する内容に従って、電話機Ａの操作方法をメニュー表示したり、ユーザーが電話をかける際の相手先電話番号を表示したり、ユーザーが発呼者電話番号と用件メッセージ等を留守番登録する際に、その発呼者電話番号と用件メッセージ等を表示したり、また、外線電話機等によって電話がかかってきた際に、相手先から指定された発呼者電話番号と用件メッセージ等を表示する。
【００２０】
信号変換部６ａは、入力されるＤＴＭＦ信号を復号する復号回路と、入力されるデータをＤＴＭＦ信号に変調して生成する変調回路を備えて構成されている。
【００２１】
記憶部６ｂは、主制御部３による制御の下で動作する不揮発性メモリ等で形成されており、複数の相手先電話番号を電話番号帳として登録するための電話番号帳データを記憶する上述の記憶領域（以下、「電話番号帳記憶領域」と称する）ＭＤと、発呼電話番号データと用件メッセージデータ等とを対応付けて記憶する記憶領域（以下、「用件記憶領域」と称する）ＭＭとを備えて構成されている。なお、用件記憶領域ＭＭは、対応付けられた発呼電話番号データと用件メッセージデータ等とを複数組み記憶することが可能となっている。
【００２２】
ＦＡＸ部６ｃは、相手先からファクシミリ送信されてきた情報を印字するプリンタ等を備え、録音部６ｄは、相手先から送られてきた発話音声の信号を留守番録音するテープレコーダ等を備えて構成されている。
【００２３】
次に、かかる構成を有する電話機Ａの動作について、図２に示すフローチャート等を参照して説明する。なお、実施の形態１の特徴である留守番機能について説明することとする。図２（ａ）は、ユーザーが例えば自宅に設置した電話機Ａに留守番登録をする際の、電話機Ａの動作を示すフローチャートである。図２（ｂ）は、ユーザーが外線電話機等を用いて電話機Ａに対し外部操作をする際の、電話機Ａの動作を示すフローチャートである。図２（ｃ）は、留守番登録に際して記憶部６ｂに記憶されるデータを示した説明図である。
【００２４】
図２（ａ）において、ユーザーが電話機Ａの操作部４に設けられている所定のプッシュ釦スイッチを操作すると、主制御部３が表示部５に留守番機能に関する留守番登録メニューを表示させる（ステップＳＴ１）。例えば、表示部５には、「発呼者電話番号／用件メッセージ登録可能」との留守番登録メニューが表示され、外線電話機等の発呼者電話番号と用件メッセージとの入力を促す。
【００２５】
次に、ステップＳＴ２において、ユーザーが留守番登録メニューの表示に従ってプッシュ釦スイッチを操作し、所望の外線電話機等の発呼者電話番号と用件メッセージを入力して確定すると、主制御部３が、図２（ｃ）に例示するように、その発呼者電話番号データと用件メッセージデータとを対応付けて、記憶部６ｂの用件記憶領域ＭＭに記憶させ、更に表示部５において「留守番登録完了」との表示をさせることで、留守番登録を完了する。
【００２６】
また、ユーザーが留守番登録メニューの表示に従ってスイッチ４ｃを適宜に操作すると、主制御部３がその操作に応じて記憶部６ｂの電話番号帳記憶領域ＭＤに記憶されている電話番号帳データを順次に読み出し、表示部５に供給することで、外線電話機等の発呼者電話番号を表示させる。そして、ユーザーが所望の発呼者電話番号を指定し、プッシュ釦スイッチを操作して用件メッセージを入力して確定すると、主制御部３が、図２（ｃ）に例示するように、その指定された発呼者電話番号データと用件メッセージデータとを対応付けて記憶部６ｂの用件記憶領域ＭＭに記憶させ、更に表示部５において「留守番登録完了」との表示をさせることで、留守番登録を完了する。
【００２７】
より具体的な例を述べれば、母親であるユーザーが外出する際、そのユーザーが所有している携帯電話機の発呼者電話番号「090123456」を入力したり、電話番号帳の表示を参照して発呼者電話番号「090123456」を指定し、更に学校から帰宅した子供に用件を知らせるための用件メッセージ「今日の帰りは遅くなります。母より。」を入力した場合、その発呼者電話番号データと用件メッセージデータが対応付けて用件記憶領域ＭＭに記憶・登録される。これにより、ユーザーが外出する際に、外出先等から知らせようとする用件メッセージを予め登録しておくことが可能となっている。
【００２８】
また、ユーザーが例えば勤務先の固定電話機を外線電話機等として登録したいと欲した場合、その固定電話機の電話番号である発呼者電話番号を入力したり、電話番号帳の表示を参照してその発呼者電話番号を指定し、更に用件メッセージを入力すると、主制御部３がその発呼者電話番号データと用件メッセージデータとを対応付けて記憶部６ｂ所定の用件記憶領域ＭＭに記憶させる。
【００２９】
また、例えば、ユーザーが上述の携帯電話機の発呼者電話番号と用件メッセージを入力等し、更に上述の固定電話機の発呼者電話番号と用件メッセージを入力等すれば、２組の発呼者電話番号データと用件メッセージデータとを対応付けて記憶部６ｂの用件記憶領域ＭＭに新規登録される。また、ユーザーが同様の操作を行うことで、２以上の登録を行うことも可能である。
【００３０】
また、ユーザーが１または複数の外線電話機等の発呼者電話番号だけを入力したり、電話番号帳の表示を参照して指定するのみで、用件メッセージを入力することなく確定すると、主制御部３は、その入力等された発呼者電話番号データだけを用件記憶領域ＭＭに登録させる。
【００３１】
また、ユーザーが外線電話機等の発呼者電話番号のみを入力等して用件メッセージを入力することなく確定し、更に外線電話機等の発呼者電話番号を入力等して用件メッセージも入力して確定すると、主制御部３は、発呼者電話番号データだけの組と、発呼者電話番号データと用件メッセージの組を、夫々記憶領域ＭＭに登録させる。つまり、ユーザーは、少なくとも発呼者電話番号を入力等して確定すれば、留守番登録することが可能なっており、記憶領域ＭＭの記憶容量の許す限り、同じ外線電話機等の発呼者電話番号を複数登録することも、異なる外線電話機等の発呼者電話番号を複数登録することも、また、同じ用件メッセージを各発呼者電話番号に対応付けて登録することも、夫々異なる用件メッセージを各発呼者電話番号に対応付けて登録することも可能である。
【００３２】
なお、詳細については割愛するが、ユーザーが、制御用のファンクションキーとなっている所定のプッシュ釦スイッチと、数字キー、文字キー、記号キーとなっている所定のプッシュ釦スイッチとを適宜操作すると、用件記憶領域ＭＭに記憶させるデータを夫々個別に編集したり、新規に登録したり、消去することができるようになっている。また、留守番登録の処理ではないが、ユーザーが上述の留守番登録と同様の操作をすることで、電話番号帳編集モードに設定すると、電話番号帳記憶領域ＭＤに記憶させる発呼者電話番号のデータを新規に登録したり、更新や編集、消去することが可能である。
【００３３】
次に、ユーザーが外出先等において、外線電話機等を用いて電話機Ａに電話をかけると、図２（ｂ）に示す処理が開始される。
【００３４】
まず、ステップＳＴ３において、主制御部３が、外部回線制御部２で検出される外線電話機等からの発呼信号を入力し、その発呼信号に含まれている発呼者電話番号を検出する。更に発呼者電話番号を検出した時刻（以下、「発呼時刻」と称する）を、電話機Ａに内蔵されているタイムベースに基づいて確定する。
【００３５】
次に、ステップＳＴ４において、主制御部３が、操作部４に設けられているスピーカにて呼出音の鳴動を開始させる。つまり、所定の発呼期間において呼出を行うための呼び出し処理を開始させる。更に、呼び出しの開始と共に、検出した発呼者電話番号を表示部５にて表示させる。
【００３６】
次に、ステップＳＴ５において、主制御部３が、上述のステップＳＴ３で検出した発呼者電話番号と一致する発呼者電話番号データが記憶部６ｂの電話番号帳記憶領域ＭＤまたは用件記憶領域ＭＭに記憶されているか否か調べる。そして、発呼者電話番号と一致する発呼者電話番号データが記憶領域ＭＤまたは記憶領域ＭＭに記憶されていると（Yesの場合）、ステップＳＴ６に移行し、記憶されていない場合（Noの場合）にはステップＳＴ２１に移行する。
【００３７】
ステップＳＴ２１では、電話機Ａが通常の処理を行う。つまり、主制御部３が、発呼期間内に電話機Ａがオンフックされたか否か調べ、オンフックされた場合には外部回線送受信部１を通過可能に回線接続させ、通話が終わって電話機Ａがオフフック又は外線電話機等による電話が切られると、ステップＳＴ１４に移行して外部回線送受信部１を回線遮断の状態に設定し、外部電話機等からかかってきた電話に対する処理を終了する。
【００３８】
また、発呼期間が経過しても電話機Ａがオンフックされない場合、外部回線送受信部１を通過可能に回線接続させ、電話をかけてきた相手先に対してＦＡＸ受信モードまたは留守番録音モードの選択を促した後、ＦＡＸ受信モードが選択された場合には、ＦＡＸ部６ｃにおいてＦＡＸ受信と印字を行わせ、留守番録音モードが選択された場合には、相手先からの発話音声の信号を録音部６ｄにて録音させる。そして、ＦＡＸ受信と印字が完了し、また、留守番録音が完了すると、ステップＳＴ１４に移行し、外部回線制御部２に指示して外部回線送受信部１を回線遮断の状態に設定し、外部電話機等からかかってきた電話に対する処理を終了する。
【００３９】
次に、上述したステップＳＴ５からＳＴ６の処理に移行した場合には、ステップＳＴ６において、主制御部３が、計時処理を行って、上述の呼び出しを行うための発呼期間内か否か調べ、未だ発呼期間内であればステップＳＴ７において、その発呼期間内に外部電話機等による電話が切られたか否か調べ、更に電話が切られていない場合にはステップＳＴ８において電話機Ａがオンフックされたか否か調べる。そして、発呼期間内であり、更に外部電話機等による電話が切られことなく且つ電話機Ａがオンフックされていない場合には、ステップＳＴ６，ＳＴ７，ＳＴ８の処理を繰り返す。また、ステップＳＴ６において、発呼期間が経過すると（Noの場合）、ステップＳＴ１５へ移行し、ステップＳＴ７において、外部電話機等により電話が切られると（Yesの場合）、ステップＳＴ１１へ移行し、ステップＳＴ８において、電話機Ａがオンフックされると（Yesの場合）、ステップＳＴ９へ移行する。
【００４０】
ステップＳＴ９では、スピーカによる呼出音の鳴動を停止（終了）させた後、主制御部３が外部回線送受信部１を回線接続させ、電話機Ａと外線電話機等の間での通話を可能にする。次に、ステップＳＴ１０では、主制御部３が、通話が終わって電話機Ａがオフフック又は外線電話機等による電話が切られたか否か調べる。そして、電話機Ａがオフフック又は外線電話機等による電話が切られるまでステップＳＴ９，ＳＴ１０の処理を繰り返し、電話機Ａがオフフック又は外線電話機等による電話が切られると、ステップＳＴ１４に移行して外部回線送受信部１を回線遮断の状態に設定し、外部電話機等からかかってきた電話に対する処理を終了する。
【００４１】
上述のステップＳＴ７からステップＳＴ１１へ処理が移行すると、ステップＳＴ１１では、主制御部３が、用件記憶領域ＭＭに記憶・登録されている登録内容、すなわち、上述のステップＳＴ３で検出した発呼者電話番号と一致する発呼者電話番号データ等の登録内容を解析し、更にステップＳＴ１２において、その発呼者電話番号と一致する発呼者電話番号データに対応付けられている用件メッセージデータが記憶・登録されているか否か調べる。そして、用件メッセージデータが記憶されていない場合（Noの場合）には、ステップＳＴ１４において、外部回線送受信部１を回線遮断の状態に設定させて、外部電話機等からかかってきた電話に対する処理を終了する。
【００４２】
一方、上述のステップＳＴ１２において、発呼者電話番号と一致する発呼者電話番号データに対応付けられている用件メッセージデータが記憶されている場合（Yesの場合）には、主制御部３が、ステップＳＴ１３において、その対応付けられている発呼者電話番号データと用件メッセージデータとを用件記憶領域ＭＭから読み出して表示部５に供給し、更に上述の発呼時刻を示すデータ（以下、「発呼時刻データ」と称する）を表示部５に供給することで、発呼者電話番号と用件メッセージデータと発呼時刻とを継続して表示させ、次にステップＳＴ１４において、外部回線送受信部１を回線遮断の状態に設定させて、外部電話機等からかかってきた電話に対する処理を終了する。
【００４３】
例えば、上述した発呼者電話番号が「090123456」である携帯電話機によって母親が外出先等から電話機Ａに電話をした場合には、ステップＳＴ１３において、発呼者電話番号「090123456」とその発呼者電話番号に対応付けられている用件メッセージ「今日の帰りは遅くなります。母より。」と発呼時刻とが、表示部５にて表示される。
【００４４】
以上に説明したようにステップＳＴ３〜ＳＴ７，ＳＴ１１〜ＳＴ１４の処理が行われると、外線電話機等の発呼者電話番号と用件メッセージと発呼時刻が表示部５の画面上に表示される。更に、外線電話機等の発呼者電話番号と用件メッセージと発呼時刻は、ステップＳＴ１４において回線遮断となっても継続して表示され、電話機Ａの操作部４に設けられている所定のプッシュ釦スイッチにより表示停止の操作がなされるまで継続して表示される。このため、ユーザーは外出先等から、登録しておいた外部電話機等を用いて電話機Ａに電話をかけるだけで、登録しておいた用件メッセージを簡単に通知することができる。更に、ユーザーは登録しておいた外部電話機等を用いて電話機Ａに電話をかけて発呼期間内に電話を切ると、登録しておいた用件メッセージ等を通知することができるため、電話料金がかからずに、登録しておいた用件メッセージ等を通知することができる。
【００４５】
再びステップＳＴ６に戻って説明する。電話が切られることなく発呼期間が経過すると、上述したように、ステップＳＴ６からステップＳＴ１５に処理が移行する。
【００４６】
ステップＳＴ１５では、主制御部３が、スピーカによる呼出音の鳴動を終了させ、更に記憶部６ｂの用件記憶領域ＭＭに記憶されている、外線電話機等の発呼者電話番号と一致する発呼者電話番号データとそれに対応付けられた用件メッセージデータを信号変換部６ａに供給することで、それらの発呼者電話番号データと用件メッセージデータをＤＴＭＦ信号に変換（変調）させる。そして、そのＤＴＭＦ信号を外部回線送受信部１を介して外線電話機等側へ送信することで、用件記憶領域ＭＭに記憶・登録されている内容を通知する。つまり、電話がかかってきた外線電話機等に関して用件記憶領域ＭＭに記憶・登録されている内容を、その外線電話機等に通知する。また、発呼者電話番号データに対応付けられた用件メッセージデータが記憶されていない場合には、用件メッセージが存在していない旨の通知をＤＴＭＦ信号によって行う。このように、外出先等で外線電話機等により電話をかけているユーザーに対し、用件記憶領域ＭＭに記憶・登録されている内容を確認等させることが可能となっている。
【００４７】
次に、ステップＳＴ１６において、外線電話機等による電話が切られたか否かを主制御部３が調べ、電話が切られると（Yesの場合）、ステップＳＴ１１以降の処理に継続し、上述したように用件記憶領域ＭＭに記憶されている発呼者電話番号データと用件メッセージデータに基づいて、電話機Ａの表示部５に発呼者電話番号と用件メッセージを表示させ、更に発呼時刻も表示させる。
【００４８】
一方、ステップＳＴ１６において外線電話機等による電話が切られることなく、ステップＳＴ１７において、ユーザーの外部電話機等から制御信号が送信されてくると、その制御信号を主制御部３が受信して検出する。ここで、制御信号は、ユーザーが外部電話機等に設けられている操作釦を操作することで生成されるＤＴＭＦ信号によって送られてくる。このＤＴＭＦ信号を主制御部３が信号変換部６ａに供給することで制御コードのデータに復号させ、復号された制御コードを解析することで制御信号を受信したことを検出する。なお、主制御部３は、システムプログラムによって予め決められている制御コードデータを参照することで、指定された制御内容を知ることが可能となっており、制御コードの種類として、電話番号帳記憶領域ＭＤと用件記憶領域ＭＭに記憶されているデータを消去、変更、修正、追加等する編集コードの他、文字コード、記号コード等が決められている。
【００４９】
次に、ステップＳＴ１８において、主制御部３が制御コードを解析し、通常の処理に移行するための指示がなされた場合（Yesの場合）にはステップＳＴ２１へ移行し、それ以外の場合（Noの場合）にはステップＳＴ１９へ移行する。
【００５０】
そして、ステップＳＴ２１に移行すると、電話をかけてきた相手先に対してＦＡＸ受信モードまたは留守番録音モードの選択を促した後、ＦＡＸ受信モードが選択された場合には、ＦＡＸ部６ｃにおいてＦＡＸ受信と印字を行わせ、留守番録音モードが選択された場合には、相手先からの発話音声の信号を録音部６ｄにて録音させる。そして、ＦＡＸ受信と印字が完了し、また、留守番録音が完了すると、ステップＳＴ１４に移行し、外部回線制御部２に指示して外部回線送受信部１を回線遮断の状態に設定し、外部電話機等からかかってきた電話に対する処理を終了することとなる。
【００５１】
次に、上述のステップＳＴ１９において、主制御部３が制御コードを更に解析し、編集用の制御コードである場合にはステップＳＴ２０に移行して、その制御コードに従って、用件記憶領域ＭＭに記憶されているデータを編集する。
【００５２】
例えば、ユーザーが用件記憶領域ＭＭに記憶されている、ユーザーの外部電話機等の発呼者電話番号データに対応付けられている用件メッセージデータを修正すると、主制御部３がその用件メッセージデータを修正して再登録する。また、ユーザーの外部電話機等の発呼者電話番号データが用件記憶領域ＭＭに記憶されているが、用件メッセージデータが記憶・登録されていない場合に、ユーザーがその発呼者電話番号データに対応付けて用件メッセージデータを追加すると、主制御部３がその用件メッセージデータを新規に登録する。
【００５３】
こうして、主制御部３がユーザーから指示された編集処理を行い、ステップＳＴ１６において電話が切られると、ステップＳＴ１１〜ＳＴ１４の処理に応じて、用件記憶領域ＭＭに記憶されている発呼者電話番号データと用件メッセージデータに基づいて、電話機Ａの表示部５に発呼者電話番号と用件メッセージを表示させ、更に発呼時刻も表示させる。
【００５４】
また、ステップＳＴ２０で編集が行われた場合には、ステップＳＴ１１〜ＳＴ１４の処理に応じて、その編集後の用件メッセージ等が表示されることになる。したがって、ユーザーは、外出先等において、登録済みとなっている携帯電話等の外部電子機器等を用いて電話機Ａに電話をかけ、例えば、用件メッセージを追加して通知したり、新たに用件メッセージを通知したり、不要な用件メッセージを消去して通知しないようにすることができる。このため、ユーザーにとって優れた利便性を提供することが可能である。
【００５５】
以上に説明したように、実施の形態１の電話機Ａによれば、ユーザーが外出先等で使用する外線電話機等の発呼者電話番号と用件メッセージとを対応付けて電話機Ａに予め登録しておき、ユーザーがその登録しておいた外線電話機等を用いて外出先等から電話機Ａに電話をかけると、外線電話機等の発呼者電話番号がトリガーとなって、その発呼者電話番号と用件メッセージと発呼時刻とが電話機Ａの表示部５に表示される。したがって、ユーザーは、登録しておいた外線電話機等を用いて電話機Ａに電話をかけるだけで用件メッセージを通知することができ、更に外線電話機等により電話をかけた時刻を発呼時刻として通知することができ、更に発呼者電話番号により誰が電話をかけたか通知することができる。更に、外線電話機等に用件メッセージを入力して電話をかけたり、発声して用件メッセージを録音させる必要もないので、外出先等において煩雑な操作をする必要がない。このため、ユーザーに対して優れた操作性を提供することが可能である。
【００５６】
また、ユーザーは登録済みとなっている外部電子機器等を用いて電話機Ａに電話をかけ、用件記憶領域ＭＭの用件メッセージを編集することができるため、実施の形態１の電話機Ａによれば、ユーザーにとって優れた利便性を提供することが可能である。
【００５７】
また、ユーザーが所有等する携帯電話機や安全に管理されている固定電話機等を外線電話機等として、それらの発呼者電話番号と用件メッセージを対応付けて電話機Ａに登録すれば、秘密漏洩を未然に防止して、確実に電話機Ａに用件メッセージを通知することができる。このため、実施の形態１の電話機Ａは、秘密漏洩の問題を回避することが可能である。なお、ユーザーが用件記憶領域ＭＭに発呼者電話番号と用件メッセージを記憶・登録したり編集する際に、ユーザーに所望のパスワードを入力させ、主制御部３がそのパスワードを検出した場合だけ、記憶・登録したり編集を許可するようにしてもよい。
【００５８】
また、実施の形態１の電話機Ａは、複数の外線電話機等の発呼者電話番号と用件メッセージとを夫々対応付けて予め登録することが可能である。例えば、ユーザーが所有する携帯電話機の発呼者電話番号Ｘ１と用件メッセージＹ１とを対応付けて予め登録し、更に、安全に管理されている固定電話機の発呼者電話番号Ｘ２と用件メッセージＹ２（用件メッセージＹ１とは異なるメッセージ）を対応付けて予め登録することが可能である。ユーザーがこうした複数の登録をしておけば、携帯電話機と固定電話機を適宜に利用して、２種類の用件メッセージＹ１，Ｙ２を選択して通知することができる。また、上述した用件メッセージＹ２と用件メッセージＹ１とを同じ内容にして登録することも可能である。この場合には、ユーザーが携帯電話機又は固定電話機を利用して、同じ内容の用件メッセージを通知することができる。このように、ユーザーにとって利用形態を広げることが可能であるため、電話機Ａは優れた利便性を提供することができる。
【００５９】
なお、以上に説明した実施の形態１では、表示部５が液晶ディスプレイ等の多数の文字や記号等を面表示することが可能なディスプレイで形成されているが、点灯と消灯のみを行う発光ダイオード等の単純な発光素子を設けて用件メッセージを通知する構成としてもよい。例えば、用件メッセージを通知させる場合を発光、用件メッセージを通知させない場合を消灯として対応付けて、主制御部３のシステムプログラムを作成しておく。そして、ユーザーが所望の外線電話機等の発呼者電話番号と用件メッセージを登録した後、外出先等から外線電話機等によって電話機Ａに電話をかけると、主制御部３が、その外線電話機等の発呼者電話番号と、記憶部６ｂに記憶・登録されている発呼者電話番号データとが一致した場合に、発光ダイオード等の発光素子を点灯させる。
【００６０】
かかる構成によれば、発光素子を点灯させるのみとなるため、用件メッセージの具体的な内容を通知することはできないが、予め家族内の約束事として用件メッセージを決めて周知しておけば、発光素子を点灯させるだけで、用件メッセージを通知することが可能である。また、かかる構成によれば、液晶ディスプレイ等の表示装置を備えていない電話機においても、本実施の形態１の技術を適用することが可能である。
【００６１】
また、表示部６が液晶ディスプレイ等で形成される場合、発呼者電話番号と用件メッセージと発呼時刻を所定行数ずつに分割して、スクロール表示させるようにしてよい。このようにスクロール表示を行うことで、表示部５の画面において有効な表示を行ったり、画面の小さな表示部５で構成することが可能である。
【００６２】
また、主制御部３が、外線電話機等から電話がかかってきたことを示す着信履歴データ（少なくとも外線電話機等の発呼者電話番号を示すデータ）を記憶部６ｂに記憶させ、操作部４が操作されて着信履歴の検索指示がなされると、その着信履歴データに対応する用件メッセージデータ等を用件記憶領域ＭＭから検索して、表示部５に表示させるようにしてもよい。かかる構成によれば、外線電話機等から電話がかかってきた際に用件メッセージ等を表示するだけでなく、電話機Ａ側のユーザーが事後的に用件メッセージ等を確認したり再確認することができるため、優れた利便性を提供することができる。
【００６３】
また、他の変形例として、次の構成を付加してもよい。すなわち、図２（ａ）のステップＳＴ２においてユーザーがいわゆる予約登録する際、記憶部６ｂの用件記憶領域ＭＭに、外線電話機等によって電話をかけようとする時間帯も入力して記憶・登録させる。そして、ユーザーが外線電話機等によってその登録しておいた時間帯に電話をかけると、電話機Ａの主制御部３が、外線電話機等の発呼電話番号と一致する発呼電話番号データが用件記憶領域ＭＭに記憶されているか否か調べると共に、登録されている時間帯に電話がかかってきたか否か調べ、上述の発呼電話番号と時間帯との２つの条件を満たした場合に、用件記憶領域ＭＭに記憶・登録されている用件メッセージデータに基づいて表示部５に用件メッセージを表示させる。かかる構成を付加すると、ユーザーは特定の時間帯だけを利用して用件メッセージを通知することになるため、例えば通知する情報の安全性を確保することが可能となる。
【００６４】
（実施の形態２）
次に、実施の形態２に係る電話機について、図３、図４、図５を参照して説明する。
実施の形態２に係る電話機は、親機１０と子機１８とにより構成されている。図３（ａ）が親機１０の構成、図３（ｂ）が子機１８の構成を示すブロック図である。また、図３（ａ）において、図１（ａ）と同一又は相当する部分が、同一符号で示されている。
【００６５】
図３（ａ）において、親機１０は、外部回線送受信部１と、外部回線制御部２、主制御部３、操作部４、表示部５、信号変換部６ａ、記憶部６ｂ、ＦＡＸ部６ｃ、録音部６ｄ、内部回線送受信部７、内部回線制御部８とを備えて構成されている。
【００６６】
ここで、外部回線送受信部１と外部回線制御部２、主制御部３、操作部４、表示部５、信号変換部６ａ、記憶部６ｂ、ＦＡＸ部６ｃ及び録音部６ｄは、実施の形態１で説明した電話機Ａと基本的に同じ機能を有している。そこで、親機１０の構成上の特徴について説明することとする。
【００６７】
まず、内部回線送受信部７は、１又は複数の子機１８との間で双方向通信を行う。内部回線制御部８は、主制御部３からの指示に従って、内部回線送受信部７に対して、１又は複数の子機１８との間で双方向通信を行わせる回線接続と双方向通信を遮断させる回線遮断との制御を行う。
【００６８】
図３（ａ）では、内部回線送受信部７が、端子Ｐ１に接続された無線アンテナ９を介して、１又は複数の子機１８との間で無線により双方向通信を行う場合を示しており、他の端子Ｐn等と１又は複数の子機１８とを通信ケーブルで接続すれば、有線による双方向通信を行うことが可能となっている。
【００６９】
主制御部３は、実施の形態１と同様に、所定のシステムプログラムを実行するマイクロプロセッサ（ＭＰＵ）やデジタルシグナルプロセッサ（ＤＳＰ）を備えて構成されており、親機１０の動作を集中制御すると共に、子機１８の動作も制御する。
【００７０】
また、詳細については動作説明において後述するが、主制御部３は、上述のシステムプログラムを実行することで留守番機能を発揮し、ユーザーが操作部４を操作して登録しておいた留守番登録内容に従って、または、ユーザーが外線電話機等によって登録した留守番登録内容に従って、外線電話機等で指定された用件メッセージを、親機１０に設けられている表示部５、または、子機１８に設けられている表示部１５にて表示させる。
【００７１】
操作部４は、図１（ｂ）に示したのと同様に、複数のプッシュ釦スイッチ４ｂと、スイッチ４ｃ等を備えて構成されている。ユーザーが所定のプッシュ釦スイッチ４ｂを操作して留守番機能を設定し、所望の外線電話機等の発呼者電話番号と、用件メッセージと、親機１０または子機１８の装置番号とを入力操作すると、主制御部３が、その発呼者電話番号データと用件メッセージデータと装置番号データを対応付けて記憶部６ｂに記憶・登録させる。なお、装置番号とは、親機１０と子機１８を識別するための識別番号である。
【００７２】
記憶部６ｂは、主制御部３による制御の下で動作する不揮発性メモリ等で形成されており、複数の相手先電話番号を電話番号帳として登録するための電話番号帳データを記憶する電話番号帳記憶領域ＭＤと、発呼電話番号データと用件メッセージと装置番号とを対応付けて記憶する用件記憶領域ＭＭとを備えて構成されている。また、用件記憶領域ＭＭは、対応付けられた発呼電話番号データと用件メッセージデータと装置番号データを複数組み記憶することが可能な記憶容量に設定されている。
【００７３】
次に、図３（ｂ）を参照して、子機１８の構成について説明する。
子機１８は、内部回線送受信部１１と、内部回線制御部１２、主制御部１３、操作部１４、表示部１５、記憶部１６とを備えて構成されている。
【００７４】
内部回線送受信部１１は、端子Ｑ1に接続された無線アンテナ１７を介して、親機１０の内部回線送受信部７との間で無線による双方向通信を行う。なお、図３（ｂ）では、内部回線送受信部１１が、端子Ｑ1に接続された無線アンテナ１７を介して無線により双方向通信を行う場合を示しているが、他の端子Ｑn等と親機１０の端子Ｐn等とを通信ケーブルで接続すれば、有線による双方向通信を行うことが可能となっている。
【００７５】
内部回線制御部１２は、主制御部１３からの指示に従って、内部回線送受信部１１に対して、親機１０との間で双方向通信を行わせる回線接続と双方向通信を遮断させる回線遮断との制御を行う。
【００７６】
記憶部１６は、不揮発性メモリ等で形成されており、電話帳データを記憶する記憶領域と、親機１０から送信されてくる用件メッセージデータ等を記憶する記憶領域が設けられている。
【００７７】
表示部１５は、主制御部１３による制御の下で動作する液晶ディスプレイ等で形成されており、ユーザーが操作部１４を操作する内容に従って子機１８の操作方法を表示したり電話をかける際の相手先電話番号を表示したり、上述の記憶部１６に記憶された用件メッセージデータ等に基づいて用件メッセージ等を表示する。
【００７８】
操作部１４は、親機１０に設けられている操作部４と同様に、複数のプッシュ釦スイッチ４ｂ，４ｃ等を備えて構成され、更に、通話を行うためのスピーカとマイクロホンも設けられている。
【００７９】
主制御部１３は、所定のシステムプログラムを実行するマイクロプロセッサ（ＭＰＵ）やデジタルシグナルプロセッサ（ＤＳＰ）を備えて構成されており、子機１８の動作を集中制御する。
【００８０】
そして、本実施形態２の受信機が、親機１０と複数の子機１８とによって構成される場合、図３（ｃ）に例示するように、親機１０と複数の子機１８ａ〜１８jとの間で双方向通信を行うようになっている。
【００８１】
次に、図４と図５を参照して、本実施形態２の電話機の動作について説明する。図４（ａ）は、ユーザーが例えば自宅に設置した親機１０に留守番登録をする際の親機１０の動作を示すフローチャート、図４（ｂ）は、ユーザーが留守番登録しておいた用件メッセージを外線電話機等を用いて外出先等から指定する際の、親機１０の動作を示すフローチャートである。図４（ｃ）は、留守番登録に際して、親機１０の記憶部１６に記憶されるデータを示した説明図である。図５（ａ）（ｂ）は、子機１８の動作を示すフローチャートである。
【００８２】
図４（ａ）において、ユーザーが親機１０の操作部４に設けられている所定のプッシュ釦スイッチを操作すると、主制御部３が表示部５に留守番機能に関する留守番登録メニューを表示させる（ステップＳＴ２１）。
【００８３】
次に、ステップＳＴ２２において、ユーザーが上述の留守番登録メニューの表示に従って、プッシュ釦スイッチを操作し、所望の外線電話機等の発呼者電話番号と用件メッセージと、親機１０または子機１８の装置番号を入力して確定すると、主制御部３が、図４（ｃ）に示すように、その発呼者電話番号データと用件メッセージデータと装置番号データを対応付けて記憶部１６の所定の用件記憶領域ＭＭに記憶させ、更に表示部５において「留守番登録完了」との表示をさせることで、留守番登録を完了する。
【００８４】
つまり、ユーザーが親機１０または子機１８の装置番号を入力するに際して、親機１０の装置番号＃０を入力すると、発呼者電話番号データと用件メッセージデータと装置番号データ＃０が対応付けて用件記憶領域ＭＭに記憶される。また、図３（ｃ）に示したように、複数の子機１８ａ〜１８ｊが在る場合、そのうちの子機１８ａの装置番号＃ａをユーザーが入力すると、発呼者電話番号データと用件メッセージデータと装置番号データ＃ａが対応付けて用件記憶領域ＭＭに記憶され、また、複数の子機１８ａ，１８ｂの装置番号＃ａ，＃ｂをユーザーが入力すれば、発呼者電話番号データと用件メッセージデータと装置番号データ＃ａ，＃ｂが対応付けて用件記憶領域ＭＭに記憶される。また、ユーザーが、親機１０の装置番号＃０と、１または複数の子機の装置番号を入力すると、発呼者電話番号データと用件メッセージデータと装置番号データ＃０とその１または複数の子機の装置番号データが対応付けて用件記憶領域ＭＭに記憶される。
【００８５】
なお、実施の形態１において説明したのと同様に、ユーザーは、所定のプッシュ釦スイッチ（消去釦スイッチ、バックスペース釦スイッチ、確定釦スイッチ）を操作して、発呼者電話番号と用件メッセージと装置番号を編集したり、用件記憶領域ＭＭに記憶されているデータの消去等を行うことができる。
【００８６】
以上に説明した留守番登録をした後、ユーザーが外出先等において、上述の登録しておいた外部電話機等により、本実施形態２の電話機に電話をかけると、親機１０が図４（ｂ）に示すステップＳＴ２３からの処理を開始する。
【００８７】
ステップＳＴ２３〜ＳＴ３０では、主制御部３が、実施の形態１（図２（ｂ）参照）で説明したステップＳＴ３〜ＳＴ１０と同様の処理を行う。
【００８８】
そして、外線電話機等の発呼者電話番号と一致する発呼者電話番号データが電話番号帳記憶領域ＭＤ又は用件記憶領域ＭＭに記憶されていない場合には、ステップＳＴ２５からＳＴ４１に処理が移行し、外線電話機等の発呼者電話番号と一致する発呼者電話番号データが電話番号帳記憶領域ＭＤ又は用件記憶領域ＭＭに記憶されている場合には、ステップＳＴ２５からＳＴ２６に処理が移行する。
【００８９】
そして、ステップＳＴ２５からＳＴ２６に処理が移行した後、通話の際にはステップＳＴ２６〜ＳＴ３０の処理が行われ、更にステップＳＴ３４に移行して回線遮断の処理が行われる。また、ステップＳＴ２５からＳＴ２６に処理が移行した後、親機１０の発呼期間内に外線電話機等により電話が切られると、ステップＳＴ２４からステップＳＴ３１ａに移行し、また、親機１０の発呼期間が経過すると、ステップＳＴ２６からステップＳＴ３５に移行する。
【００９０】
次に、上述したステップＳＴ２５からＳＴ４１に処理が移行すると、主制御部３の制御の下で、親機１０と外線電話機等との操作状態に応じて、ステップＳＴ４１〜ＳＴ４５の処理が行われる。つまり、ステップＳＴ４１〜ＳＴ４５では、上述したステップＳＴ２６〜ＳＴ３０と同様の処理が行われる。
【００９１】
そして、親機１０と外線電話機等との間で通話が行われる際にはステップＳＴ４１〜ＳＴ４５の処理が行われ、更にステップＳＴ３４に移行して回線遮断の処理が行われる。また、親機１０の発呼期間内に外線電話機等により電話が切られると、ステップＳＴ４２からステップＳＴ３４に移行し、通話がなされることなく回線遮断の状態となる。また、親機１０の発呼期間が経過すると、ステップＳＴ４１からステップＳＴ４６に移行する。
【００９２】
ステップＳＴ４６では、主制御部３が親機１０の呼出音を停止させ、更に外線電話機等から電話があったことを示す通知を子機１８に対して行うことで、子機１８における呼出を開始さる。
【００９３】
次に、ステップＳＴ４７において、主制御部３が、未だ子機１８の発呼期間内であるか否か調べ、その発呼期間内のときにはステップＳＴ４８、その発呼期間が経過したときには、ステップＳＴ５２へ移行する。
【００９４】
次に、ステップＳＴ４８において、主制御部３が、外線電話機等により電話が切られたか否かを調べる。外線電話機等により電話が切られると、子機１８における呼出を停止させ、ステップＳＴ３４に移行して、通話がなされることなく回線遮断の状態となる。
【００９５】
上述の外線電話機等により電話が切られていない場合には、ステップＳＴ４９において、主制御部３が、子機１８がオンフックされたか否か調べる。そして、子機１８の発呼期間内に、子機１８がオンフックされず、且つ外線電話機等により電話が切られない場合、ステップＳＴ４７〜ＳＴ４９の処理が繰り返される。
【００９６】
次に、ステップＳＴ４９において子機１８がオンフックされると、ステップＳＴ５０に移行し、主制御部３が、親機１０を介してそのオンフックされた子機１８と外線電話機等との間での通話を可能にし、次のステップＳＴ５１において、子機１８がオフフックされるまで、または、外線電話機による電話が切られるまで通話可能状態に設定する。そして、子機１８がオフフック、または、外線電話機による電話が切られると、ステップＳＴ３４に移行して、外線電話機等からかかってきた電話に対する処理を終了する。
【００９７】
再びステップＳＴ４７に戻って説明する。ステップＳＴ４７において子機１８の発呼期間が経過すると（Noの場合）、ステップＳＴ５２において通常の留守番処理が行われる。つまり、電話をかけてきた相手先に対してＦＡＸ受信モードまたは留守番録音モードの選択を促した後、ＦＡＸ受信モードが選択された場合には、ＦＡＸ部６ｃにおいてＦＡＸ受信と印字を行わせ、留守番録音モードが選択された場合には、相手先からの発話音声の信号を録音部６ｄにて録音させる。そして、ＦＡＸ受信と印字が完了し、また、留守番録音が完了すると、ステップＳＴ３４に移行し、外部回線制御部２に指示して外部回線送受信部１を回線遮断の状態に設定し、外部電話機等からかかってきた電話に対する処理を終了する。
【００９８】
再びステップＳＴ２７に戻って説明する。上述したように、ステップＳＴ２７において、親機１０の発呼期間内に外線電話機等による電話が切られると、ステップＳＴ３１ａに移行し、主制御部３が、親機１０における呼出音を停止させた後、用件記憶領域ＭＭに登録されている、上述の一致した発呼者電話番号に関連している発呼者電話番号データ等を解析する。
【００９９】
次に、ステップＳＴ３１ｂにおいて、主制御部３が上述の解析を行った結果、対象となっている装置が子機１８のみであるか否か調べる。そして、登録されている装置番号データが子機１８のみのときにはステップＳＴ３１ｂｃに移行し、登録されている装置番号データが少なくとも親機１０のとき（つまり、親機１０のみのとき、または、親機１０と子機１８のとき）には、ステップＳＴ３２へ移行する。
【０１００】
次に、ステップＳＴ３１ｃでは、主制御部３が、上述のステップＳＴ３１ａで解析した登録内容（つまり、発呼者電話番号と装置番号と用件メッセージのデータ）と発呼時刻を示すデータ（発呼時刻データ）を、内部回線送受信部７を通じて子機１８側へ通知（送信）する。ただし、発呼者電話番号と装置番号のデータが登録されているが、用件メッセージが登録されていない場合には、発呼者電話番号データと装置番号データと発呼時刻データが子機１８側へ送信される。なお、この通知を受信した子機１８の動作については、図５（ｂ）を参照して後述することとする。
【０１０１】
ステップＳＴ３２では、主制御部３が、発呼者電話番号と一致する発呼者電話番号データに対応付けられている用件メッセージデータが用件記憶領域ＭＭに記憶されているか否か調べる。そして、用件メッセージデータが記憶されていない場合（Noの場合）には、ステップＳＴ３４において、外部回線送受信部１を回線遮断の状態に設定させて、外部電話機等からかかってきた電話に対する処理を終了する。
【０１０２】
一方、上述のステップＳＴ３２において、発呼者電話番号と一致する発呼者電話番号データに対応付けられている用件メッセージデータが記憶されている場合（Yesの場合）にはステップＳＴ３３に移行し、主制御部３が、その対応付けられている発呼者電話番号データと用件メッセージデータとを用件記憶領域ＭＭから読み出して表示部５に供給し、更に発呼時刻データを表示部５に供給することで、発呼者電話番号と用件メッセージと発呼時刻とを継続して表示させる。つまり、ステップＳＴ３３の処理に移行する場合は、親機１０だけでなく子機１８を対象としている用件メッセージも親機１０の表示部５にて表示させる。例えば、ユーザーである母親が、用件表示のための装置を親機１０または子機１８に設定して、携帯電話機の発呼者電話番号「090123456」と、用件メッセージ「今日の帰りは遅くなります。母より。」とを予め用件記憶領域ＭＭに登録しておけば、母親が外出先等で携帯電話機から親機１０に電話をかければ、それらの発呼者電話番号「090123456」と、用件メッセージ「今日の帰りは遅くなります。母より。」と、発呼時刻が親機１０の表示部５に表示されることとなる。
【０１０３】
そして、ステップＳＴ３４において、主制御部３が、外部回線制御部２に指示して外部回線送受信部１を回線遮断の状態に設定させて、外部電話機等からかかってきた電話に対する処理を終了する。なお、電話機Ａの操作部４に設けられている所定のプッシュ釦スイッチにより表示停止の操作がなされるまで、表示部５に表示された用件メッセージ等は消去されることなく、継続して表示される。
【０１０４】
以上に説明したように、ステップＳＴ２７からＳＴ３１ａに処理が移行して、ステップＳＴ３１ａからＳＴ３４の処理が行われると、ユーザーは外部電話機等を用いて親機１０に電話をかけ、発呼期間内に電話を切るだけで、電話料金がかからずに、登録しておいた用件メッセージ等を通知することができる。
【０１０５】
次に、再びステップＳＴ２６に戻って説明する。上述したように、電話が切られることなく発呼期間が経過すると、ステップＳＴ２６からステップＳＴ３５に処理が移行する。そして、ステップＳＴ３５〜ＳＴ４０では、主制御部３が、図２（ｂ）に示したステップＳＴ１５〜ＳＴ２０と基本的に同じ処理を行う。
【０１０６】
つまり、ステップＳＴ３５では、親機１０における呼出音の鳴動を終了させ、更に記憶部６ｂの用件記憶領域ＭＭに記憶されている、外線電話機等の発呼者電話番号と一致する発呼者電話番号データとそれに対応付けられた用件メッセージデータと装置番号データをＤＴＭＦ信号に変換（変調）し、外線電話機等側へ送信することで、用件記憶領域ＭＭに記憶・登録されている内容を通知する。
【０１０７】
ステップＳＴ３６では、外線電話機等による電話が切られたか否かを調べ、電話が切られると（Yesの場合）、ステップＳＴ３１ａ以降の処理に移行して、上述したように親機１０の表示部５に用件メッセージ等が表示されたり、子機１８側に用件メッセージ等が送信されることになる。
【０１０８】
一方、ステップＳＴ３６において電話が切られることなく、ユーザーの外部電話機等から制御信号がＤＴＭＦ信号によって送信されてくると、ステップＳＴ３７，ＳＴ３８，ＳＴ３９においてその制御信号の制御コードを主制御部３が検出して解析し、ステップＳＴ３９において通常の処理を行うべき指示がなされている場合には、ステップＳＴ４６以降の処理を行い、編集用の制御コードの場合にはステップＳＴ４０において、制御コードに従って編集処理を行う。例えば、制御コードの内容に従って、用件記憶領域ＭＭに記憶されている、ユーザーの外部電話機等の発呼者電話番号データに対応付けられている用件メッセージデータや装置番号データを修正したり、用件メッセージデータや装置番号データを追加したり消去する等の処理を行う。
【０１０９】
そして、編集処理の後、ステップＳＴ３６において外部電話機等による電話が切られると、ステップＳＴ３１ａ以降の処理を行う。したがって、編集処理によって用件記憶領域ＭＭに再登録されたデータに基づいて、親機１０の表示部５に用件メッセージ等が表示されたり、子機１８側に用件メッセージ等が送信されることになる。
【０１１０】
以上に説明したようにステップＳＴ３５〜ＳＴ４０の処理が行われることで、例えば、ユーザーは外部電話機等を用いて親機１０に電話をかけ、用件メッセージを追加して通知したり、新たに用件メッセージを通知したり、不要な用件メッセージを消去して通知しないようにしたり、通知すべき親機１０や子機１８の装置番号を変更することができる。このため、ユーザーにとって優れた利便性を提供することが可能である。
【０１１１】
次に、子機１８の動作について、図５（ａ）（ｂ）を参照して説明する。なお、図５（ａ）は、図４（ｂ）のステップＳＴ４６において、親機１０から子機１８に切替えの指示がなされた場合の動作を示すフローチャート、図５（ｂ）は、図４（ｂ）のステップＳＴ３１ｃにおいて、親機１０から子機１８に通知がなされた場合の動作を示すフローチャートである。
【０１１２】
まず、親機１０の発呼期間が経過し（図４（ｂ）のステップＳＴ２５を参照）、親機１０から子機１８に、切替えの指示がなされると（図４（ｂ）のステップＳＴ４６を参照）、子機１８の主制御部１３が図５（ａ）のステップＳＴ６０において、その指示を受信し、更にステップＳＴ６１において、自己の装置番号が装置番号データと一致するか否か調べる。そして、一致すると、ステップＳＴ６２に移行し、一致しないと、切替えの指示に対応することなく処理を終了する。
【０１１３】
つまり、図３（ｃ）に示したように、複数の子機１８ａ〜１８ｊが存在する場合には、それらの全ての子機１８ａ〜１８ｊがステップＳＴ６０において、親機１０からの指示を受信し、更にステップＳＴ６１において、自己の装置番号が装置番号データと一致するか否か調べ、一致した子機だけがステップＳＴ６２以降の処理に移行し、一致しない子機は処理を終了する。
【０１１４】
ステップＳＴ６２では、上述の一致した子機１８が呼出音の鳴動を開始し、次に、ステップＳＴ６３において、主制御部１３が、未だ子機の発呼期間内か否か調べ、その発呼期間が経過するとステップＳＴ６８において呼出音の鳴動を停止させ、処理を終了する。また、ステップＳＴ６３において、未だ子機の発呼期間内のときには、主制御部１３が外線電話機等による電話が切られた状態か否か調べ、切られた場合には、ステップＳＴ６８において呼出音の鳴動を停止させ、処理を終了する。
【０１１５】
次に、ステップＳＴ６５において、子機１８がオンフックされたか否かを主制御部１３が調べ、オンフックされていないときには、ステップＳＴ６３からの処理が繰り返される。そして、子機１８がオンフックされると、ステップＳＴ６６に移行して、主制御部１３が、親機１０を介して子機１８と外線電話機等との間での通話を行うための回線接続を行い、次のステップＳＴ６７において、外線電話機等による電話が切られた場合、または、子機１８がオンフックされた場合の何れかの状態となると、主制御部１３が処理を終了する。
【０１１６】
次に、図５（ｂ）に示す動作について説明する。 
前述した図４（ｂ）のステップＳＴ３１ｃにおいて、親機１０から１または複数の全ての子機１８に対して通知がなされると、それら全ての子機１８が図５（ｂ）のステップＳＴ７０においてその通知を受信し、次にステップＳＴ７１において、主制御部１３が、自己の装置番号と装置番号データとが一致するか否か調べ、一致した子機だけがステップＳＴ７２の処理に移行し、一致しない子機は処理を終了する。
【０１１７】
ステップＳＴ７２では、上述の一致した子機１８が、上述の通知された発呼者電話番号データと装置番号データと用件メッセージデータと発呼時刻データに基づいて、表示部１５に、発呼者電話番号と装置番号と用件メッセージと発呼時刻とを表示さる。そして、所定の表示操作釦が操作されるまでその表示を継続する。
【０１１８】
したがって、ユーザーが外線電話機等によって所望の子機１８を親機１０の用件記憶領域ＭＭに記憶・登録させて、親機１０に電話をかけると、用件記憶領域ＭＭに記憶・登録されている発呼者電話番号データと装置番号データと用件メッセージデータと発呼時刻データが子機１８側に通知され、装置番号の一致した子機１８の表示部１５に、発呼者電話番号と装置番号と用件メッセージと発呼時刻とが表示される。
【０１１９】
以上に説明したように、実施の形態２の電話機によれば、ユーザーが外出先等で使用する外線電話機等の発呼者電話番号と、用件メッセージと、親機１０または子機１８の装置番号とを対応付けて親機１０に予め登録しておき、ユーザーがその登録しておいた外線電話機等を用いて外出先等から親機１０に電話をかけると、外線電話機等の発呼者電話番号がトリガーとなって、その発呼者電話番号と装置番号と用件メッセージと発呼時刻とが、登録されている装置番号の親機１０または子機１８の表示部５または１５に表示される。したがって、ユーザーは、登録しておいた外線電話機等を用いて親機１０に電話をかけるだけで、親機１０または子機１８に用件メッセージを通知することができ、更に外線電話機等により電話をかけた時刻を発呼時刻として通知することができ、更に発呼者電話番号により誰が電話をかけたか通知することができる。更に、外線電話機等に用件メッセージを入力して電話をかけたり、発声して用件メッセージを録音させる必要もないので、外出先等において煩雑な操作をする必要がない。このため、ユーザーに対して優れた操作性を提供することが可能である。
【０１２０】
また、ユーザーが所有等する携帯電話機や安全に管理されている固定電話機等を外線電話機等として、それらの発呼者電話番号と用件メッセージと装置番号を対応付けて親機１０に登録しておけば、秘密漏洩を未然に防止して、確実に用件メッセージを通知することができる。このため、実施の形態２の電話機は、秘密漏洩の問題を回避することが可能である。
【０１２１】
また、実施の形態２の電話機は、実施の形態１と同様に、複数の外線電話機等の発呼者電話番号と用件メッセージと装置番号を夫々対応付けて予め登録することが可能である。このため、ユーザーにとって利用形態を広げることが可能となり、優れた利便性を提供することができる。
【０１２２】
また、実施の形態２の電話機では、外線電話機等によって用件メッセージを編集することができるため、新たな用件メッセージを親機１０または子機１８に通知したり、用件メッセージを変更したりすることができ、ユーザーにとって利用形態を広げることが可能となり、優れた利便性を提供することができる。
【０１２３】
なお、以上に説明した実施の形態２では、親機１０と子機１８の表示部５，１５が液晶ディスプレイ等の多数の文字や記号等を面表示することが可能なディスプレイで形成されているが、実施の形態１と同様に、点灯と消灯のみを行う発光ダイオード等の単純な発光素子を設けて用件メッセージを通知する構成としてもよい。
【０１２４】
また、以上に説明した実施の形態２の電話機は、留守番登録の際にユーザーが外線電話機等の発呼者電話番号と用件メッセージと入力することとしているが、実施の形態１と同様に、用件記憶領域ＭＭに用件メッセージデータと装置番号データを記憶させ、発呼者電話番号は、電話番号帳記憶領域ＭＤに記憶されている電話帳データを利用するようにしてもよい。かかる構成によれば、留守番登録に際し、ユーザーにとって入力操作の簡素化を図ることができ、操作性の向上を図ることができる。
【０１２５】
また、以上に説明した実施の形態２の電話機では、親機１０に設けられている記憶部６ｂの用件記憶領域ＭＭに用件メッセージデータ等を記憶・登録して管理するようにしているが、子機１８に設けられている記憶部１６にも用件記憶領域を設けておき、親機１０と子機１８との間での相互通信によって、記憶部６ｂの用件記憶領域ＭＭと記憶部１６の用件記憶領域とに、常に同じ用件メッセージ等を記憶させるようにしてもよい。つまり、親機１０と子機１８との間で用件メッセージ等を共有して記憶するようにしてもよい。
【０１２６】
かかる構成によれば、ユーザーは子機１８を利用して用件メッセージ等を予約登録することができ、利便性の向上を図ることが可能である。また、ユーザーが外線電話機等を用いて用件メッセージ等を編集すると、その編集された用件メッセージ等が親機１０だけでなく子機１８においても共有されることになり、装置番号が一致する子機１８が用件メッセージ等を自己の表示部１５に表示する際、自己の記憶部１６に記憶されている用件メッセージデータ等に基づいてその用件メッセージ等を表示することができる。このため、親機１０と子機１８との間での通信制御を簡素化することができる。
【０１２７】
また、実施の形態２の電話機においても、実施の形態１と同様に、親機１０の主制御部３が、外線電話機等から電話がかかってきたことを示す着信履歴データ（少なくとも外線電話機等の発呼者電話番号を示すデータ）を記憶部６ｂに記憶させ、操作部４が操作されて着信履歴の検索指示がなされると、その着信履歴データに対応する用件メッセージデータ等を用件記憶領域ＭＭから検索して、表示部５に表示させるようにしてもよい。また、上述したように親機１０の記憶部６ｂの用件記憶領域ＭＭと子機１８の記憶部１６の用件記憶領域に、同じ発呼者番号データや用件メッセージデータ等を共有して記憶する構成とし、親機１０の記憶部６ｂだけでなく、子機１８の記憶部６ｂにも着信履歴データを記憶させ、子機１８の操作部１４が操作されて着信履歴の検索指示がなされると、その着信履歴データに対応する用件メッセージデータ等を用件記憶領域ＭＭから検索して、表示部５に表示させるようにしてもよい。
【０１２８】
また、他の変形例として、実施の形態１で説明したのと同様に、次の構成を付加してもよい。すなわち、図４（ａ）のステップＳＴ２においてユーザーがいわゆる予約登録する際、親機１０または子機１０を操作して、親機１０の記憶部６ｂの用件記憶領域ＭＭと親機１０の記憶部１６の用件記憶領域に、外線電話機等によって電話をかけようとする時間帯も入力して記憶・登録させる。そして、ユーザーが外線電話機等によってその登録しておいた時間帯に電話をかけると、親機１０と子機１８の主制御部３，１３が、外線電話機等の発呼電話番号と一致する発呼電話番号データが記憶部６の用件記憶領域ＭＭと記憶部１６の用件記憶領域に記憶されているか否か調べると共に、登録されている時間帯に電話がかかってきたか否か調べ、上述の発呼電話番号と時間帯との２つの条件を満たした場合に、用件記憶領域ＭＭに記憶・登録されている用件メッセージデータに基づいて親機１０と子機１８の表示部５，１５に用件メッセージを表示させる。
【０１２９】
かかる構成を付加すると、ユーザーは特定の時間帯だけを利用して用件メッセージを通知することになるため、例えば通知する情報の安全性を確保することが可能となる。
【図面の簡単な説明】
【０１３０】
【図１】図１（ａ）は、実施の形態１に係る受信機の構成を示すブロック図、図１（ｂ）は、操作部の一部を表した平面図である。
【図２】図２（ａ）（ｂ）は、実施の形態１に係る受信機の動作を説明するためのフローチャート、図２（ｃ）は親機の記憶部に記憶されるデータを表した説明図である。
【図３】図３（ａ）（ｂ）（ｃ）は、実施の形態２に係る受信機の構成を示すブロック図である。
【図４】図４（ａ）（ｂ）は、図３（ａ）に示した親機の動作を説明するためのフローチャート、図４（ｃ）は、親機の記憶部に記憶されるデータを表した説明図である。
【図５】図５（ａ）（ｂ）は、図３（ｂ）（ｃ）に示した子機の動作を説明するためのフローチャートである。
【符号の説明】
【０１３１】
１０…親機
１８…子機
３，１３…主制御装置
４，１４…操作部
５，１５…表示部
６，１６…記憶部
【図１】
2009164782.tif 000003
【図２】
2009164782.tif 000004
【図３】
2009164782.tif 000005
【図４】
2009164782.tif 000006
【図５】
2009164782.tif 000007